(57)【特許請求の範囲】
【請求項１】
吸引風を発する電動送風機を内蔵する掃除機本体と、前記電動送風機が発する排気風を大気へ排出する排気口を有し、前記掃除機本体と着脱可能な別部品で構成した排気カバーを備え、前記排気カバーに設けた塵埃を吸引するアタッチメントの装着部の少なくとも一部が、前記排気口の下方に位置しかつアタッチメント装着時、前記排気口の外郭より前記アタッチメントの外郭が突出するように形成した電気掃除機。
【請求項２】
アタッチメントの装着部は、アタッチメントの略外観形状からなる凹部とした請求項１記載の電気掃除機。
【請求項３】
アタッチメントの略外観形状からなる凹部に、別の凹部を連続して形成した請求項２記載の電気掃除機。
【請求項４】
アタッチメント装着時、アタッチメントが被掃除面に対して傾くように、アタッチメントの装着部を形成した請求項１〜３のいずれか１項に記載の電気掃除機。
【発明の詳細な説明】
【０００１】
【発明の属する技術分野】
本発明は、一般家庭で使用される電気掃除機に関するものである。
【０００２】
【従来の技術】
従来、掃除機本体１に付属され、塵埃を吸引するアタッチメント２の装着において、図６により説明する。図６において、吸引風を発する電動送風機と塵埃を集塵する集塵室を配設した掃除機本体１外郭に凹部４を形成し、付属されたアタッチメント２に凸部３を形成して、双方を嵌合させることで、前記アタッチメント２を前記掃除機本体１に取り付けていた。
【０００３】
【発明が解決しようとする課題】
しかしながら上記従来の構成では、図６に示すように、掃除機本体１の外郭に凹部４を設け、アタッチメント２を前記掃除機本体１に取り付けているが、近年、アタッチメント２に対する使用者のニーズが増え、アタッチメント２の形状が多種多様となってきているが、その都度、アタッチメント２を前記掃除機本体１に取り付ける凹部４の形成位置を変更する必要があり、掃除機本体１を形成する大型部品の形状変更が必要となり、部品の共用化の妨げとなり、総合的にコストアップにつながっていた。
【０００４】
本発明は、以上のような従来の課題を解決しようとするものであって、掃除機本体を構成する部品の共用化を実施でき、コスト低減を可能とした電気掃除機を提供することを目的としている。
【０００５】
【課題を解決するための手段】
上記目的を達成するために本発明は、吸引風を発する電動送風機を内蔵する掃除機本体と、前記電動送風機が発する排気風を大気へ排出する排気口を有し、前記掃除機本体と着脱可能に別部品で構成した排気カバーを備え、前記排気カバーに設けた塵埃を吸引するアタッチメントの装着部の少なくとも一部が、前記排気口の下方に位置しかつアタッチメント装着時、前記排気口の外郭より前記アタッチメントの外郭が突出するように形成した電気掃除機で、アタッチメントの形状が変更となっても、排気カバーの形状変更のみで済み、掃除機本体を構成する部材については、他の電気掃除機と共用化が図れ、総合的にコスト低減が図れる。また、アタッチメントの装着部の少なくとも一部が、前記排気口の下方に位置しかつアタッチメント装着時、前記排気口の外郭より前記アタッチメントの外郭が突出するように形成してあるため、排気口より放出された排気が被掃除面上のゴミを舞い上げることもなく、使用性が向上する。
【０００６】
【発明の実施の形態】
本発明の請求項１記載の発明は、吸引風を発する電動送風機を内蔵する掃除機本体と、前記電動送風機が発する排気風を大気へ排出する排気口を有し、前記掃除機本体と着脱可能に別部品で構成した排気カバーを備え、前記排気カバーに設けた塵埃を吸引するアタッチメントの装着部の少なくとも一部が、前記排気口の下方に位置しかつアタッチメント装着時、前記排気口の外郭より前記アタッチメントの外郭が突出するように形成した電気掃除機で、アタッチメントの形状が変更となっても、排気カバーの形状変更のみで済み、掃除機本体を構成する部材については、他の電気掃除機と共用化が図れ、総合的にコスト低減が図れる。また、アタッチメントの装着部の少なくとも一部が、前記排気口の下方に位置しかつアタッチメント装着時、前記排気口の外郭より前記アタッチメントの外郭が突出するように形成してあるため、排気口より放出された排気が被掃除面上のゴミを舞い上げることもなく、使用性が向上する。
【０００７】
本発明の請求項２記載の発明は、アタッチメントの装着部は、アタッチメントの略外観形状からなる凹部としたもので、装着時の保持面積の拡大が容易に図れ、且つ使用者への装着方向等を含め、指示マークにもなり視認性によるガイド効果が飛躍的に向上するものである。
【０００８】
本発明の請求項３記載の発明は、アタッチメントの略外観形状からなる凹部に、別の凹部を連続して形成したもので、アタッチメントの装着の着脱に伴う握り安さが向上し使用性の向上へとつながるものとなる。
【０００９】
本発明の請求項４記載の発明は、アタッチメント装着時、アタッチメントが被掃除面に対して傾くように、アタッチメントの装着部を形成したもので、設計構成として容易に排気カバーに装着したアタッチメントの凸部の形成が出来るものとなり、装着の着脱に伴う握り安さが向上し使用性の向上へとつながるものとなる。
【００１０】
【実施例】
（実施例１）
以下、本発明の第１の実施例を、図１〜図４を用いて説明する。
【００１１】
２０は下方に塵埃を吸引する吸込具２１を具備し、吸引風を発する電動送風機（図示せず）を内蔵した掃除機本体であり、その背面後方にはビス２２により挟持固定される排気カバー２３が取付けられている。前記排気カバー２３の構成については、前記掃除機本体２０の電動送風機が発する排気風の出口であり前記掃除機本体２０に設けられた排出口２７より排出される排気風の整流のために形成された排気口２６を有し、同じく付属させるアタッチメント２４を掃除機本体２０に保持装着させるための装着部である凹部２５を形成したものである。そして、アタッチメント２４の少なくとも一部が、前記排気口２６の下方に位置しかつアタッチメント２４装着時、前記排気口２６の外郭より前記アタッチメント２６の外郭が突出するように形成してある。また、その凹部２５については、前記アタッチメント２４の外観形状に近似する凹部形状とさせたものであり、且つその上下両端には、装着されるアタッチメント２４に設けた凹部の受け部２８に係合する凸部の嵌合部２９と、同じく前記アタッチメント２４の他端のパイプ内面３０に係合する爪嵌合部３１が構成されている。また前記装着部２５へのアタッチメント２４の装着形態においても、アタッチメント２４が掃除機本体２０吸引部に接続させる為に形成させた中空パイプ３２側が、被掃除面に接地装着された掃除機本体に対し、同じく前記掃除機本体２０同様上方に向くように取付装着されたものとし、同時に任意的な傾きをもって達成するように構成したものである。
【００１２】
また装着時の保持を目的とした係合構成においても、前記凹部の受け部２８及び凸部の嵌合部２９、爪嵌合部３１の構成させる配置について、前記アタッチメント２４の中空パイプ３２の軸中心線３３上よりも、どちらか左右一方向にズラした位置に構成させている。
【００１３】
（実施例２）
以下、本発明の第２の実施例を、図５を用いて説明する。なお、上記第１の実施例と同一部品については、同一符号を付し、その説明は省略する。
【００１４】
２０は吸引風を発する電動送風機３５を内蔵した掃除機本体であり、その背面後方には、前記電動送風機３５を覆うように、ビス２２により挟持固定される排気カバー２３が取付けられている。前記排気カバー２３の構成については、前記掃除機本体２０の電動送風機が３５発する排気風の出口であり、整流のために形成された排気口２６を有し、同じく付属させるアタッチメント２４を掃除機本体２０に保持装着させるための装着部である凹部２５を形成したものである。
【００１５】
アタッチメント２４の形状が変更となっても、排気カバー２３の形状変更のみで済み、掃除機本体２０を構成する部材については、他の電気掃除機と共用化が図れ、総合的にコスト低減が図れる。また、前記排気カバー２３を着脱することで、電動送風機３５のメンテナンスが容易にできる。
【００１６】
【発明の効果】
本発明によれば、掃除機本体を構成する部品の共用化を実施でき、コスト低減を可能とするとともに、排気口より放出された排気が被掃除面上のゴミを舞い上げることもなく、使用性が向上する電気掃除機を提供できる。
【図面の簡単な説明】
【図１】  本発明の第１の実施例を示す電気掃除機の外観図
【図２】  同電気掃除機の要部品構成図
【図３】  同電気掃除機の排気カバーの外観図
【図４】  同アタッチメントを排気カバーに装着したときの断面図
【図５】  本発明の第２の実施例を示す電気掃除機の要部品構成図
【図６】  従来の示す電気掃除機の外観図
【符号の説明】
２０  掃除機本体
２１  吸込具
２２  ビス
２３  排気カバー
２４  アタッチメント
２５  凹部（装着部）
２６  排気口
２７  排出口
３５  電動送風機
【図１】
0003794321.tif 000002
【図２】
0003794321.tif 000003
【図３】
0003794321.tif 000004
【図４】
0003794321.tif 000005
【図５】
0003794321.tif 000006
【図６】
0003794321.tif 000007